(57)【要約】【課題】スカート部の洗濯や交換が容易にでき且つ頭髪の落下防止に優れる作業用帽子の提供を目的とする。【解決手段】前方につば９を有し頭に被せる被冠部３と、被冠部３の開口周縁４で且つ少なくともつば９よりも後方に取付けて頭髪を被覆する帯状のスカート部５とを有し、スカート部５は上縁２９を被冠部３の開口周縁４に脱着自在に設けてあり、下縁２７が首に位置して被冠部３の開口周縁４に沿う方向に延出し、左右側縁２８a、２８ｂが各々顔のこめかみに位置し且つ直線状に垂下しており、スカート部５の左右側縁の一方側に顔のあごに掛けるあご帯３５を設け、他方側にあご帯３５の被係止部３７を設けた。【選択図】図１
0003123353.tif 000002
【実用新案登録請求の範囲】
【請求項１】
前方につばを有し頭に被せる被冠部と、被冠部の開口周縁で且つ少なくともつばよりも後方に取付けて頭髪を被覆する帯状のスカート部とを有し、スカート部は上縁を被冠部の開口周縁に脱着自在に設けてあり、下縁が首に位置して被冠部の開口周縁に沿う方向に延出し、左右側縁が各々顔のこめかみに位置し且つ直線状に垂下しており、スカート部の左右側縁の一方側に顔のあごに掛けるあご帯を設け、他方側にあご帯の被係止部を設けたことを特徴とする作業用帽子。
【請求項２】
スカート部にはその下縁に沿って設けた中空のタイト調整部が設けてあり、タイト調整部には中空内部に紐を挿通してあり、紐は一端をタイト調整部の長手方向一端に係止し、他端をタイト調整部の他端の開口から突設して設けてあることを特徴とする請求項１に記載の作業用帽子。
【請求項３】
タイト調整部の他端の開口は外側に向けて開口し、紐の他端はスカート部の外側に出ていることを特徴とする請求項２に記載の作業用帽子。
【請求項４】
被冠部は天面がメッシュ材でできており且つスカート部がメッシュ材でできていることを特徴とする請求項３に記載の作業用帽子。
【請求項５】
被冠部には、内側に樹脂製のヘルメットが脱着自在に設けてあり、ヘルメットの頂部には、頭部接触部と緩衝部とを有し、緩衝部は頭部接触部よりも上方に向けて突状に湾曲した複数の帯状部材を並んで形成してあり、且つ複数の帯状部材は間隔をあけて並んでいることを特徴とする請求項４に記載の作業用帽子。
【請求項６】
ヘルメットの頭部接触部には複数の開口が形成してあることを特徴とする請求項５に記載の作業用帽子。
【請求項７】
スカート部の上縁には、上縁の一部を周方向に折り重ねたタックを形成してあることを特徴とする請求項４に記載の作業用帽子。
【請求項８】
あご帯は、先端部に面状の係止部を有し、スカート部の外側面にはあご帯の係止部に係止する被係止部が設けてあることを特徴とする請求項４に記載の作業用帽子。
【請求項９】
被冠部は、開口周縁の内側に沿って設けた型帯と、開口周縁の後方外側に設けたサイズ調整用の締め付け帯と、締め付け帯の係止部とが設けてあり、型帯は締め付け帯が位置する部位を切除してあることを特徴とする請求項２〜８のいずれか一項に記載の作業用帽子。
【考案の詳細な説明】
【技術分野】
【０００１】
本考案は、飲料、食品、医薬品等の製造工場や試験・研究室等で使用される作業用帽子に関する。
【背景技術】
【０００２】
特許文献１には、被冠部のつばよりも後方に頭髪を被覆するスカート部を設け、且つ被冠部とスカート部を接合した構成が開示されている。この特許文献１では、スカート部は袋状を成しており、つば側に開口を設けて開口から頭髪をスカート部に収納するようになっている。
【０００３】
【特許文献１】実用新案登録公報３０２６４３８号公報
【考案の開示】
【考案が解決しようとする課題】
【０００４】
しかし、作業用帽子にあっては、頭髪の落下を防止すると共に衛生上の問題から洗濯をする必要がある。特に、スカート部は頭髪を被覆するので髪の毛が付きやすいと共に被冠部よりも汚れが目立ちやすいが、作業用帽子は形状が複雑であるから、そのまま帽子全体を洗濯し難いという問題がある。
【０００５】
更に、スカート部は袋状になっているので、頭髪が短い場合や襟足や耳付近にある髪の毛等においてはスカート部の袋内に納まり難いという問題がある。
【０００６】
本考案は、スカート部の洗濯や交換が容易にでき且つ頭髪の落下防止に優れる作業用帽子の提供を目的とする。
【課題を解決するための手段】
【０００７】
前記課題を解決するために、請求項１に記載された考案は、前方につばを有し頭に被せる被冠部と、被冠部の開口周縁で且つ少なくともつばよりも後方に取付けて頭髪を被覆する帯状のスカート部とを有し、スカート部は上縁を被冠部の開口周縁に脱着自在に設けてあり、下縁が首に位置して被冠部の開口周縁に沿う方向に延出し、左右側縁が各々顔のこめかみに位置し且つ直線状に垂下しており、スカート部の左右側縁の一方側に顔のあごに掛けるあご帯を設け、他方側にあご帯の被係止部を設けたことを特徴とする。
【０００８】
請求項２に記載された考案は、請求項１に記載の考案において、スカート部にはその下縁に沿って設けた中空のタイト調整部が設けてあり、タイト調整部には中空内部に紐を挿通してあり、紐は一端をタイト調整部の長手方向一端に係止し、他端をタイト調整部の他端の開口から突設して設けてあることを特徴とする。
【０００９】
請求項３に記載された考案は、請求項２に記載の考案において、タイト調整部の他端の開口は外側に向けて開口し、紐の他端はスカート部の外側に出ていることを特徴とする。
【００１０】
請求項４に記載された考案は、請求項３に記載の考案において、被冠部は天面がメッシュ材でできており且つスカート部がメッシュ材でできていることを特徴とする。
【００１１】
請求項５に記載された考案は、請求項４に記載の考案において、被冠部には、内側に樹脂製のヘルメットが脱着自在に設けてあり、ヘルメットの頂部には、頭部接触部と緩衝部とを有し、緩衝部は頭部接触部よりも上方に向けて突状に湾曲した複数の帯状部材を並んで形成してあり、且つ複数の帯状部材は間隔をあけて並んでいることを特徴とする。
【００１２】
請求項６に記載された考案は、請求項５に記載の考案において、ヘルメットの頭部接触部には複数の開口が形成してあることを特徴とする。
【００１３】
請求項７に記載された考案は、請求項４に記載の考案において、スカート部の上縁には、上縁の一部を周方向に折り重ねたタックを形成してあることを特徴とする。
【００１４】
請求項８に記載された考案は、請求項４に記載の考案において、あご帯は、先端部に面状の係止部を有し、スカート部の外側面にはあご帯の係止部に係止する被係止部が設けてあることを特徴とする。
【００１５】
請求項９に記載された考案は、請求項２〜８のいずれか一項に記載の考案において、被冠部は、開口周縁の内側に沿って設けた型帯と、開口周縁の後方外側に設けたサイズ調整用の締め付け帯と、締め付け帯の係止部とが設けてあり、型帯は締め付け帯が位置する部位を切除してあることを特徴とする。
【考案の効果】
【００１６】
請求項１に記載の考案によれば、スカート部が被冠部に対して脱着自在であるから、汚れ易いスカート部のみを外して洗濯したり交換できる。また、スカート部は帯状を成しているから、洗濯しやすい。
【００１７】
スカート部は帯状を成し、下縁が首に位置して被冠部の周縁に沿う方向に延出し、スカート部の左右側縁が顔のこめかみに位置するので、こめかみよりも後ろ側でスカート部の下縁を首の後や襟元に当てて覆うことができ、頭髪が短い場合や襟元付近の髪の毛も外側から押えて落下を防止できる。
【００１８】
スカート部の左右側縁は顔のこみかめに位置し、直線状に垂下してあるので、装着者の視界を妨げ難い。
【００１９】
請求項２に記載された考案によれば、請求項１に記載された考案と同様の効果が得られると共に、スカート部は下縁にタイト調整部を設けているので、スカート部の下縁を被装着者の首や襟元に密着でき、髪の毛の落下防止に優れる。
【００２０】
タイト調整部は中空内に挿入してある紐を引くことでスカート部の下縁をタイトできるので、構成が簡易である。
【００２１】
請求項３に記載された考案によれば、請求項２に記載された考案と同様の効果が得られると共に、タイト調整部は外側に向けて紐が突出しているので、作業用帽子を装着した状態で紐をスカート部の外側から手で把持しやすく、タイト調整の操作性に更に優れる。
【００２２】
請求項４に記載された考案によれば、請求項３に記載された考案と同様の効果が得られると共に、被冠部の天面及びスカート部をメッシュ材で構成しているので通気性が良く、蒸れを防止できる。
【００２３】
請求項５に記載された考案によれば、請求項４に記載された考案と同様の効果が得られると共に、被冠部の内側にヘルメットを設けてあるので、工場や実験室等における配管や装置等の障害物に頭が接触して傷つけるのを防止できる。
【００２４】
特に、帯状体は上方を向いた突状としてあるので、障害物に接触した場合に帯状部材が下方に凹んで変形することにより衝撃を緩和できる。
【００２５】
請求項６に記載された考案によれば、請求項５に記載された考案と同様の効果が得られると共に、ヘルメットの頭部接触部は複数の開口により通気を確保し、頭部被覆部の天面のメッシュと共に通気性を高めることができる。
【００２６】
請求項７に記載された考案によれば、請求項４に記載された考案と同様の効果が得られると共に、被冠部の開口周縁にスカート部を取付けたときにおけるスカート部のたるみや皺を防止できる。
【００２７】
請求項８に記載された考案によれば、請求項４に記載された考案と同様の効果が得られると共に、あご帯をスカート部のメッシュ面に直接係止して止めるので、あご帯を顔の頬付近にあるスカート部の上から押し付けるようにして片手で且つワンタッチで止めることができる。
【００２８】
請求項９に記載された考案によれば、請求項２〜８に記載された考案と同様の効果が得られると共に、被冠部の形状を保持する型帯は、締め付け帯部分が切除してあるので、締め付け帯の係止位置を変えて被冠部の周囲長さを短くしたときに、型帯が邪魔にならずに、サイズ調整が容易にできる。
【考案を実施するための最良の形態】
【００２９】
以下に、添付図面を参照して、本考案の実施の形態を詳細に説明する。図１は本実施の形態に係る作業用帽子の斜視図であり、図２は図１に示すＡ−Ａ位置で切断した被冠部の断面図であり、図３は図２に示すＢ−Ｂ位置で切断した被冠部の断面図であり、図４はスカート部の展開図であり、図５はヘルメットの斜視図であり、図６は図５に示すＣ−Ｃ位置で切断したヘルメットの断面図である。
【００３０】
本考案の実施の形態に係る作業用帽子１は、被冠部３と、被冠部３に脱着自在に設けたスカート部５と、被冠部３の内側に配置されるヘルメット７とから構成されている。
【００３１】
被冠部３は、前方につば９を有しており、つば９及び側部１１は布製であるが、天面１３がメッシュ材でできている。被冠部３の開口周縁４には内側に型帯１５が取付けてあり、型帯１５は開口周縁４の形崩れを防止している。被冠部３の側部１１には後部に、開口周縁４のサイズ調整を行う締め付け帯１７が設けてあり、側部１１の外周面に設けた被係止部１９に締め付け帯１７を係止して頭のサイズに合わせて寸法を調整できるようになっている。締め付け帯１７と被係止部１９とは、多数の鉤状部材を設けて成り、鉤どうしを係脱自在に係止する面状ファスナ（以下「面状ファスナ」というときは同じ構成をいう）により、係止するようになっている。
【００３２】
型帯１５は、図２に示すように、締め付け体１７に対応する位置に切除部２３が形成してあり、サイズ調整時における側部１１の柔軟性に影響を与え難くし、型帯１５が邪魔にならずにサイズ調整を容易にしている。型帯１５は樹脂製シート又は布である。
【００３３】
型帯１５の内周面には、つば９の左右一側９ａから後側を通ってつばの左右他側９ｂに至る範囲にスカートの係止部２１が設けてある。スカートの係止部２１は面状ファスナである。
【００３４】
スカート部５は、図４に示すように、展開した状態で略矩形を成しており、本体５ａはメッシュ材でできている。本体５ａの上縁２９には被係止部２５が取付けてあり、被係止部２５は被冠部３の開口内周面に設けた係止部２１に係止するようになっている。被係止部２５及び係止部２１は面状ファスナである。
【００３５】
本体部５ａの上縁２９には、その長手方向の２箇所に略等間隔に設けたタック３２が形成してあり、タック３２は、上縁２９の一部を周方向に折り重ねて形成し、折り目３２ａが下縁２７に向けて途中まで延出している。尚、本体部５ａの上縁２９は下縁２７よりも長く形成している。
【００３６】
下縁２７にはその長手方向に沿って延出したタイト調整部３１が設けてあり、タイト調整部３１は中空を成し、中空内に紐３３が挿通されている。紐３３はゴム製であり、一端３３ａをタイト調整部の長手方向一端３１ａに係止してあり、中空のタイト調整部３１の他端３１ｂは外側に向けて開口しており、紐３３の他端３３ｂはスカート部５の外側に突出している。そして、紐３３の他端３３ｂを引くと、スカート部５の下縁２７が締まって装着時に首のうなじや襟足にフィットするように調整するようになっている。
【００３７】
本体部５ａの左右側縁２８ａ、２８ｂは各々顔のこめかみＦ（図１参照）に位置し且つこめかみＦから頬Ｇ（図１参照）を下方に直線状に位置している。スカート部５の左右側縁２８ａ、２８ｂの一方側には、顔のあごＨ（図１参照）に掛けるあご帯３５が設けてあり、他方側にはあご帯３５の被係止部３７が設けてあり、あご帯３５を本体５ａに取付けてある被係止部３７に係止して止めるようになっている。被係止部３７及びあご帯３５の係止部３６はそれぞれ面状ファスナである。
【００３８】
ヘルメット７は、被冠部３の内側に配置されて頭部に直接被るようになっている。このヘルメット７は、樹脂材でできており、被冠部３の内側に脱着自在に設けてある。図５及び図６に示すように、ヘルメット７の頂部には、頭部接触部３９と緩衝部４１とが設けてある。緩衝部４１は頭部接触部よりも上方に向けて突状に湾曲した複数の帯状部材４１ａからなり、複数の帯状部材４１ａは間隔をあけて並んで設けてある。頭部接触部３９も緩衝部４１の帯状部材４１ａと同様に帯状に設けてあり、隣り合う帯状部材３９ａが間隔をあけている。このように頭部接触部３９及び緩衝部４１とが、各々帯状部材４１ａ、３９ａで間隔をあけて形成することにより、通気を良好にしている。
【００３９】
次に、本実施の形態に係る作業用帽子１の作用効果を説明する。本実施の形態に係る作業用帽子１は、被冠部３の開口周縁４の内周にスカート部５を装着して、被冠部３の内側にヘルメット７を入れて頭に被り、スカート部５の左右側縁２８ａ、２８ｂを顔のこめかみから頬に配置して、あご帯３５の係止部３６を被係止部３７に係止する。
【００４０】
作業用帽子１は、スカート部５が被冠部３の開口周縁に設けた係止部２１に対して被係止部２５を脱着自在に設けているので、容易に取り外しでき、汚れ易いスカート部のみを外して洗濯したり、交換できる。
【００４１】
スカート部５は略矩形の帯状を成し、下縁２７が首に位置して被冠部３の周縁に沿う方向に延出し、スカート部５の左右側縁２８ａ、２８ｂが顔のこめかみＦに位置するので、こめかみＦよりも後ろ側でスカート部５の下縁２７を首の後や襟元に当てて覆うことができ、頭髪が短い場合や襟元付近の髪の毛も外側から押えて落下を防止できる。
【００４２】
スカート部５の左右側縁２８ａ、２８ｂは顔のこみかめに位置し、下方に直線状になって頬に位置するので、装着者の視界を妨げ難い。
【００４３】
スカート部５は下縁２７にタイト調整部３１を設けているので、スカート部５の下縁２７を被装着者に合わせて首や襟元に密着でき、髪の毛の落下防止に優れる。
【００４４】
タイト調整部３１は紐３３を引くことでスカート部５の下縁２７をタイトできるので、簡易な構成で操作性が良い。
【００４５】
特に、タイト調整部３１は外側に向けて紐３３が突出しているので、作業用帽子１を装着した状態で紐３３の他端３３ｂを手で把持しやすい。
【００４６】
被冠部３の天面１３及びスカート部５をメッシュ材で構成しているので通気性が良く、蒸れを防止できる。
【００４７】
被冠部３の内側にヘルメット７を設けてあるので、工場や実験室等における配管や装置等の障害物に頭が接触して傷つけるのを防止できる。特に、上方に向けて突条とした帯状部材４１ａで構成した緩衝部４１を設けているので、緩衝部４１が障害物に接触した場合に帯状部材４１ａが下方に凹んで変形し、衝撃を緩和できる。
【００４８】
ヘルメット７の頭部接触部３９は帯状部材３９ａ、３９ａ間の開口により通気を確保し、頭部被覆部３の天面１３のメッシュ構造と共に防止全体としての通気性を高めることができる。
【００４９】
スカート部５にはタック３２を設けているので、被冠部３の開口周縁にスカート部５を取付けたときにおけるスカート部５のたるみや皺を防止できる。
【００５０】
あご帯３５をスカート部５のメッシュ面に設けた被係止部３７に直接係止して止めるので、あご帯３５を顔の頬付近にあるスカート部５の上から押し付けるようにして片手で且つワンタッチで止めることができる。
【００５１】
型帯１５は、締め付け帯１７がある部分を切除した切除部２３を設けてあるので、締め付け帯１７の係止位置を変えて被冠部３の開口周縁の長さを短くしたときに、型帯１５が柔軟性の邪魔にならずに、サイズ調整が容易にできる。
【００５２】
本考案は上述した実施の形態に限定されず、その要旨を逸脱しない範囲で種々の変形が可能である。
【図面の簡単な説明】
【００５３】
【図１】本実施の形態に係る作業用帽子の斜視図である。
【図２】図１に示すＡ−Ａ位置で切断した被冠部の断面図である。
【図３】図２に示すＢ−Ｂ位置で切断した被冠部の断面図である
【図４】スカート部の展開図である。
【図５】ヘルメットの斜視図である。
【図６】図５に示すＣ−Ｃ位置で切断したヘルメットの断面図である。
【符号の説明】
【００５４】
１      作業用帽子
３      被冠部
４      開口周縁
５      スカート部
７      ヘルメット
９      つば
３１    タイト調整部
３２    タック
３５    あご帯
３９    頭部接触部
４１    緩衝部
【図１】
0003123353.tif 000003
【図２】
0003123353.tif 000004
【図３】
0003123353.tif 000005
【図４】
0003123353.tif 000006
【図５】
0003123353.tif 000007
【図６】
0003123353.tif 000008